(57)【要約】      （修正有）【課題】隣接する無線信号受信エリア内での無線ＩＤタグの交差受信を防止するための、自動化されたシステム正常性ステータスの判定、パフォーマンス較正及び複数の無線識別（無線ＩＤ）送受信機（又は受信機）の構成のためのシステム及び方法を提供する。【解決手段】システム１００において、無線ＩＤシステム１０１（１０２）は、試験無線ＩＤタグ１６０（１６１）、１６２（１６４）、１６３（１６５）を、無線ＩＤアンテナ１１０（１１１）、１１２（１１３）の各々に関連付けられる無線信号受信エリア１７０（１７１）内に配置し、無線ＩＤ送受信機１２０（１２１）のコンフィギュレーションパラメータを、その無線ＩＤ送受信機に付属する無線ＩＤアンテナの無線信号受信エリア内部の試験無線ＩＤタグからのデータのみがその無線ＩＤ送受信機によって受信されるまで、調節する。【選択図】図１
2019079507.tif 000002
【特許請求の範囲】
【請求項１】
複数の無線識別（無線ＩＤ）送受信機又は受信機（１２０、１２１、２２１）のシステムベースライン正常性試験及び較正を行って、前記複数の無線ＩＤ送受信機又は受信機の各々に付属する無線ＩＤアンテナ（１１０、１１２、１１１、１１３）に隣接するエリア内での無線ＩＤタグ（１６０−１６５）の交差受信を防止するための方法であって、
試験無線ＩＤタグ（１６０−１６５）を、前記無線ＩＤアンテナ（１１０、１１２、１１１、１１３）の各々に関連付けられる無線信号受信エリア（１７０、１７１）の内部に配置するステップ、
各無線ＩＤ送受信機又は受信機（１２０、１２１、２２１）のコンフィギュレーションパラメータを、その無線ＩＤ送受信機又は受信機に付属する前記無線ＩＤアンテナの前記無線信号受信エリア内部の試験無線ＩＤタグからのデータのみがその無線ＩＤ送受信機又は受信機によって受信され、その試験無線ＩＤタグに関して受信された前記データが事前に設定されたパフォーマンスパラメータに適合するまで調節するステップ、及び
各無線ＩＤ送受信機又は受信機を、その無線ＩＤ送受信機又は受信機に付属する前記無線ＩＤアンテナの前記無線信号受信エリア内部の前記試験無線ＩＤタグからのデータのみがその無線ＩＤ送受信機又は受信機によって受信され、その試験無線ＩＤタグに関して受信された前記データが事前に設定されたパフォーマンスパラメータに適合するようになる前記コンフィギュレーションパラメータを用いて較正するステップ
を含む方法。
【請求項２】
各無線ＩＤ送受信機又は受信機を較正する前記ステップに先立ち、試験無線ＩＤタグを用いてシステムベースライン正常性試験を実施するステップをさらに含む、請求項１に記載の方法。
【請求項３】
各無線ＩＤ送受信機又は受信機について調節された前記コンフィギュレーションパラメータが、システム信号送信機のパワー、システム信号送信機変調選択、システムパケット送信数、無線ＩＤタグパケット送信数、システム受信機感度閾値設定、無線ＩＤタグ受信信号強度指標値、受信無線ＩＤタグパケットフィルタ設定、無線ＩＤ送信期間率設定、グローバル低レベルリーダプロトコル制御パラメータ設定、及びアンテナポート選択のうちの一又は複数を含む、請求項１に記載の方法。
【請求項４】
各無線ＩＤ送受信機又は受信機について調節された前記コンフィギュレーションパラメータが、試験無線ＩＤタグパラメータ設定を含む、請求項１に記載の方法。
【請求項５】
前記複数の無線ＩＤ送受信機又は受信機の各々の前記コンフィギュレーションパラメータを中央データベース（１５０、２５０）に記憶するステップをさらに含む、請求項１に記載の方法。
【請求項６】
複数の無線ＩＤ送受信機又は受信機（１２０、１２１）を較正して前記複数の無線ＩＤ送受信機又は受信機の各々に付属する無線ＩＤアンテナ（１１０、１１２、１１１、１１３）に隣接するエリア内での無線ＩＤタグ（１６０−１６５）の交差受信を防止するためのシステムであって、
各々が付属の無線ＩＤアンテナ（１１０、１１２、１１１、１１３）を有する複数の無線ＩＤ送受信機又は受信機（１２０、１２１）であって、前記無線ＩＤアンテナがそれに関連付けられる無線信号受信エリア（１７０、１７１）内部を通過する無線ＩＤタグ（１６０−１６５）からのデータを受信する、前記複数の無線ＩＤ送受信機又は受信機（１２０、１２１）と、
前記複数の無線ＩＤ送受信機又は受信機の各々にその動作を制御するために連結されたコントローラ（１４０）と
を備え、前記コントローラは、各無線ＩＤ送受信機又は受信機のコンフィギュレーションパラメータを、前記付属の無線ＩＤアンテナに関連付けられる前記無線信号受信エリア内部の試験無線ＩＤタグからのデータがその無線ＩＤ送受信機又は受信機によって受信され、その無線ＩＤタグに関して受信された前記データが事前に設定されたパフォーマンスパラメータに適合し、前記複数の無線ＩＤアンテナのうちの他の無線ＩＤアンテナの各々の前記無線信号受信エリア内部の試験無線ＩＤタグからのデータがそのＲＦＩＤ送受信機又は受信機によって何も受信されなくなるまで調節し、且つ、各無線ＩＤ送受信機又は受信機を、その無線ＩＤアンテナの前記無線信号受信エリア内部の試験無線ＩＤタグからのデータがその無線ＩＤ送受信機又は受信機によって受信され、その無線ＩＤタグに関して受信された前記データが事前に設定されたパフォーマンスパラメータに適合し、前記複数の無線ＩＤアンテナのうちの他の無線ＩＤアンテナの各々の前記無線信号受信エリア内部の試験無線ＩＤタグからのデータがその無線ＩＤ送受信機又は受信機によって何も受信されなくなる前記コンフィギュレーションパラメータを用いて較正する、システム。
【請求項７】
前記コントローラが、各無線送受信機又は受信機の較正に先立ち、試験無線ＩＤタグを用いてシステムベースライン正常性試験を実施する、請求項６に記載のシステム。
【請求項８】
各無線ＩＤ送受信機又は受信機について調節された前記コンフィギュレーションパラメータが、システム信号送信機のパワー、システム信号送信機変調選択、システムパケット送信数、無線ＩＤタグパケット送信数、システム受信機感度閾値設定、無線ＩＤタグ受信信号強度指標値、受信無線ＩＤタグパケットフィルタ設定、無線ＩＤ送信期間率設定、グローバル低レベルリーダプロトコル制御パラメータ設定、及びアンテナポート選択のうちの一又は複数を含む、請求項６に記載のシステム。
【請求項９】
各無線ＩＤ送受信機又は受信機について調節された前記コンフィギュレーションパラメータが、試験無線ＩＤタグパラメータ設定を含む、請求項６に記載のシステム。
【請求項１０】
前記コントローラを前記複数の無線ＩＤ送受信機又は受信機の各々に連結するためのネットワーク（１３０）をさらに備える、請求項６に記載のシステム。
【請求項１１】
使用中のすべての試験無線ＩＤタグの位置の追跡に使用するためのミドルウエア及びシステムベースライン正常性試験及び較正プロセス分析プログラム（１４１）をさらに備える、請求項６に記載のシステム。
【請求項１２】
使用中のすべての試験無線ＩＤタグの前記位置の情報を記憶するための、前記ミドルウエア及びシステムベースライン正常性試験及び較正プロセス分析プログラムに連結されたデータベース（１５０）をさらに備える、請求項１１に記載のシステム。
【請求項１３】
前記ミドルウエア及びシステムベースライン正常性試験及び較正プロセス分析プログラムを前記複数の無線ＩＤ送受信機又は受信機の各々に連結するためのネットワーク（１３０）をさらに備える、請求項１１に記載のシステム。
【発明の詳細な説明】
【技術分野】
【０００１】
本発明は、概して、能動的及び受動的無線識別（ＩＤ）装置（又は単純に無線ＩＤ）両方の、位置決定機器の自動較正及びコンフィギュレーション管理のためのシステムと方法に関する。特に、本発明は、受動的無線及び能動的無線ＩＤ信号装置又はタグを追跡する無線ＩＤ位置決定システム機器の、システム正常性ステータスの判定、パフォーマンス較正、及びコンフィギュレーションパラメータの設定の自動化に関する。能動的及び受動的無線信号識別（ＩＤ）位置決定システムの技術は、倉庫、工場、製造及びアセンブリエリアにおける部品、アセンブリ、及び輸送機関の在庫管理及び位置決定を含む、追跡及び識別のために広く使用されている。このようなエリアのいくつかは、サブアセンブリ、キット、カート、ビークルなどのアセットを追跡して位置を確認するために設置された大量の無線ＩＤ位置決定システムのインフラ設備を含みうる。いくつかの無線ＩＤ位置決定システムは、外部から動力供給され且つ位置確認システムインテロゲータから送信される無線信号により励起される受動的無線ＩＤタグを使用し、他の能動的無線ＩＤ位置決定システムは、そのような信号を送信されるのではなく、超音波、可視光、赤外線、磁気、又は電波といった外部無線信号によりそれらのＩＤを送信するように励起されうる自己動力供給式能動的無線ＩＤタグをサポートしている。両方の種類の無線ＩＤタグは、信号送信、励起、又は自己動力供給されると識別データを提供する無線信号を送信する。無線ＩＤ位置決定システムは、超音波、可視光、赤外線、及び電波を含む超音波及び電磁スペクトルといった周波数スペクトルの多くの領域で動作することができる。位置決定システム機器は無線ＩＤタグ識別データを受信することができ、この識別データは次いで、サポートミドルウエアと付属のコントローラとによって処理される。このミドルウエアと付属のコントローラは、位置確認システム機器と通信し、データの捕捉元である機器の位置情報データを含む受信（捕捉）無線ＩＤタグ情報を、アセットＩＤ情報データと相関させるアプリケーションプログラミングインターフェース（ＡＰＩ）を提供することができる。このミドルウエアは、アセットの位置ステータスに関するシステムユーザへのアラート又はイベント通知といったビジネスロジックを適用することもできる。このような大規模な設備のいくつかに、これら位置確認機器システムの複数を、隣接エリア内のアセットの位置を確認するために設置することができる。このような状況では、第２のエリア内のアセットに関連付けられた無線ＩＤタグが自己動力供給し、第１のエリア内の位置確認システム機器に無線信号を送信する又は同システム機器からの信号送信若しくはエキサイタ無線信号に応答しうる（又はその逆）同じ種類の位置確認システム間において、「交差受信（ｃｒｏｓｓ−ｒｅｃｅｐｔｉｏｎ）」が生じうる。これにより、例えばアセットの不正確な位置識別が起こりうる。
【０００２】
したがって、交差受信に関連する問題を克服するシステム及び方法が必要である。
【発明の概要】
【０００３】
第１の態様では、システムベースライン正常性試験を行い、複数の無線識別（無線ＩＤ）送受信機又は受信機を較正して、それら複数の無線ＩＤ送受信機又は受信機の各々に付属する無線ＩＤアンテナに隣接するエリア内での無線ＩＤタグの交差受信を防止するための方法が開示される。まず、試験無線ＩＤタグを、無線ＩＤアンテナの各々に関連付けられる無線信号受信エリア内に配置する。次に、コンフィギュレーションパラメータを、各無線ＩＤ送受信機又は受信機について、各無線ＩＤ送受信機又は受信機に付属する無線ＩＤアンテナの無線信号受信エリア内部の試験無線ＩＤタグからのデータのみがその無線ＩＤ送受信機又は受信機によって受信され、その試験無線ＩＤタグに関して受信されたデータが事前に設定されたパフォーマンスパラメータに適合するまで調節する。最後に、各無線ＩＤ送受信機又は受信機を、その無線ＩＤ送受信機又は受信機に付属する無線ＩＤアンテナの無線信号受信エリア内部の試験無線ＩＤタグからのデータのみがその無線ＩＤ送受信機又は受信機によって受信され、その試験無線ＩＤタグに関して受信されたデータが事前に設定されたパフォーマンスパラメータに適合するようになるコンフィギュレーションパラメータを用いて較正する。
【０００４】
さらなる一実施例では、システムベースライン正常性試験は、各無線ＩＤ送受信機又は受信機を較正するステップに先立ち、試験無線ＩＤタグを用いて実施される。好適には、各無線ＩＤ送受信機又は受信機について調節されたコンフィギュレーションパラメータは、システム信号送信機のパワー、システム信号送信機変調選択、システムパケット送信数、無線ＩＤタグパケット送信数、システム受信機感度閾値設定、無線ＩＤタグ受信信号強度指標値、受信無線ＩＤタグパケットフィルタ設定、無線ＩＤ送信期間率設定、グローバル低レベルリーダプロトコル制御パラメータ設定、及びアンテナポート選択のうちの一又は複数を含みうる。また、各無線ＩＤ送受信機又は受信機について調節されたコンフィギュレーションパラメータは、無線ＩＤタグパラメータ設定を含みうる。さらには、複数の無線ＩＤ送受信機又は受信機の各々のコンフィギュレーションパラメータは、中央データベースに記憶されうる。
【０００５】
第２の態様では、複数の無線ＩＤ送受信機又は受信機を較正して、それら複数の無線ＩＤ送受信機又は受信機の各々に付属する無線ＩＤアンテナに隣接するエリア内での無線ＩＤタグの交差受信を防止するためのシステムが開示される。複数の無線ＩＤ送受信機又は受信機が提供される。複数の無線ＩＤ送受信機又は受信機の各々は付属の無線ＩＤアンテナを有し、このアンテナは、それに関連付けられた無線信号受信エリア内部を通過する無線ＩＤタグからのデータを受信する。加えて、コントローラが、複数の無線ＩＤ送受信機又は受信機の各々に、その動作を制御するために連結される。このコントローラは、各無線ＩＤ送受信機又は受信機のコンフィギュレーションパラメータを、付属の無線ＩＤアンテナの無線信号受信エリア内部の試験無線ＩＤタグからのデータがその無線ＩＤ送受信機又は受信機によって受信され、その試験無線ＩＤタグに関して受信されたデータが事前に設定されたパフォーマンスパラメータに適合し、複数の無線ＩＤアンテナのうちの他の無線ＩＤアンテナの各々の無線信号受信エリア内部の試験無線ＩＤタグからのデータがそのＲＦＩＤ送受信機又は受信機によって何も受信されなくなるまで調節する。このコントローラは、各無線ＩＤ送受信機又は受信機を、その無線ＩＤアンテナの無線信号受信エリア内部の試験無線ＩＤタグからのデータがその無線ＩＤ送受信機又は受信機によって受信され、その試験無線ＩＤタグに関して受信されたデータが事前に設定されたパフォーマンスパラメータに適合し、複数の無線ＩＤアンテナのうちの他の無線ＩＤアンテナの各々の無線信号受信エリア内部の試験無線ＩＤタグからのデータがその無線ＩＤ送受信機又は受信機によって何も受信されなくなるコンフィギュレーションパラメータを用いて較正する。
【０００６】
さらなる一実施例では、コントローラは、各無線ＩＤ送受信機又は受信機の較正に先立ち、試験無線ＩＤタグを用いてシステムベースライン正常性試験を実施する。また、各無線ＩＤ送受信機又は受信機について調節されたコンフィギュレーションパラメータは、システム信号送信機のパワー、システム信号送信機変調選択、システムパケット送信数、無線ＩＤタグパケット送信数、システム受信機感度閾値設定、無線ＩＤタグ受信信号強度指標値、受信無線ＩＤタグパケットフィルタ設定、無線ＩＤ送信期間率設定、グローバル低レベルリーダプロトコル制御パラメータ設定、及びアンテナポート選択のうちの一又は複数を含みうる。各無線ＩＤ送受信機又は受信機について調節されたコンフィギュレーションパラメータは、無線ＩＤタグパラメータ設定も含みうる。システムは、コントローラを複数の無線ＩＤ送受信機又は受信機の各々に連結するためのネットワークをさらに含みうる。システムは、使用中のすべての無線ＩＤタグの位置の追跡に使用するためのミドルウエア及びシステムベースライン正常性試験プロセス及び較正プロセス分析プログラムも含みうる。システムは、使用中のすべての無線ＩＤタグの位置情報を記憶するための、ミドルウエア及びシステムベースライン正常性試験プロセス及び較正プロセス分析プログラムに連結されたデータベースをさらに含みうる。さらには、システムは、ミドルウエア及びシステムベースライン正常性試験プロセス及び較正プロセス分析プログラムを複数の無線ＩＤ送受信機又は受信機の各々に連結するためのネットワークを含みうる。
【０００７】
第３の態様では、複数の無線ＩＤ送受信機又は受信機を較正して、それら複数の無線ＩＤ送受信機又は受信機の各々に付属する無線ＩＤアンテナに隣接するエリア内での無線ＩＤタグの交差受信を防止するためのシステムが開示される。システムは、各々が付属の無線ＩＤアンテナを有する複数の無線ＩＤ送受信機又は受信機を含み、前記付属のアンテナは、それに関連付けられた信号受信エリア内部を通過する無線ＩＤタグを受信する。システムはまた、複数の無線ＩＤ送受信機又は受信機のうちの一つの内部にコントローラを含み、このコントローラは複数の無線ＩＤ送受信機又は受信機のうちの他の送受信機又は受信機の各々に連結されてその動作を制御する。コントローラは、各無線ＩＤ送受信機又は受信機のコンフィギュレーションパラメータを、付属の無線ＩＤアンテナに関連付けられた信号受信エリア内部の試験無線ＩＤタグからのデータがその無線ＩＤ送受信機又は受信機によって受信され、その試験無線ＩＤタグに関して受信されたデータが事前に設定されたパフォーマンスパラメータに適合し、複数の無線ＩＤアンテナのうちの他の無線ＩＤアンテナの各々の信号受信エリア内部の試験無線ＩＤタグからのデータがその無線ＩＤ送受信機又は受信機によって何も受信されなくなるまで調節する。コントローラは、各無線ＩＤ送受信機又は受信機を、その試験無線ＩＤタグに関して受信されたデータが事前に設定されたパフォーマンスパラメータに適合するまでその無線ＩＤアンテナの信号受信エリア内部の試験無線ＩＤタグがその無線ＩＤ送受信機又は受信機によって受信され、複数の無線ＩＤアンテナのうちの他の無線ＩＤアンテナの各々の信号受信エリア内部の試験無線ＩＤタグがその無線ＩＤ送受信機又は受信機によって何も受信されなくなるコンフィギュレーションパラメータを用いて較正する。
【０００８】
さらなる一実施例では、コントローラは、各無線ＩＤ送受信機又は受信機の較正に先立ち、試験無線ＩＤタグを用いてシステムベースライン正常性試験を実施する。また、各無線ＩＤ送受信機又は受信機について調節されたコンフィギュレーションパラメータは、システム信号送信機のパワー、システム信号送信機変調選択、システムパケット送信数、無線ＩＤタグパケット送信数、システム受信機感度閾値設定、無線ＩＤタグ受信信号強度指標値、受信無線ＩＤタグパケットフィルタ設定、無線ＩＤ送信期間率設定、グローバル低レベルリーダプロトコル制御パラメータ設定、及びアンテナポート選択のうちの一又は複数を含みうる。さらに、各無線ＩＤ送受信機又は受信機について調節されたコンフィギュレーションパラメータは、無線ＩＤタグパラメータ設定も含みうる。システムは、複数の無線ＩＤ送受信機又は受信機を互いに対して連結するためのネットワークをさらに含みうる。システムは、使用中のすべての無線ＩＤタグの位置の追跡に使用されるミドルウエア及びシステムベースライン正常性試験プロセス及び較正プロセス分析プログラムも含みうる。さらにシステムは、使用中のすべての無線ＩＤタグの位置を記憶するための、ミドルウエア及びシステムベースライン正常性試験プロセス及び較正プロセス分析プログラムに連結されたデータベースを含みうる。
【０００９】
第４の態様では、複数の無線ＩＤ送受信機又は受信機を較正して、それら複数の無線ＩＤ送受信機又は受信機の各々に付属する無線ＩＤアンテナに隣接するエリア内での無線ＩＤタグの交差受信を防止するためのシステムが開示される。複数の無線ＩＤ送受信機又は受信機が提供される。複数の無線ＩＤ送受信機又は受信機の各々は付属の無線ＩＤアンテナを有し、このアンテナは、それに関連付けられた信号受信エリア内部を通過する無線ＩＤタグを受信する。加えて、複数の無線ＩＤ送受信機又は受信機のうちの一つの内部の第１のコントローラ及び第２のコントローラが提供される。第１のコントローラと第２のコントローラは互いに対して連結され、且つ複数の無線ＩＤ送受信機又は受信機のうちの他の送受信機又は受信機の各々に、その動作を制御するために連結される。第１のコントローラ及び第２のコントローラは、各無線ＩＤ送受信機又は受信機のコンフィギュレーションパラメータを、付属の無線ＩＤアンテナに関連付けられた信号受信エリア内部の試験無線ＩＤタグからのデータがその無線ＩＤ送受信機又は受信機によって受信され、その無線ＩＤタグに関して受信されたデータが事前に設定されたパフォーマンスパラメータに適合し、複数の無線ＩＤアンテナのうちの他の無線ＩＤアンテナの各々の信号受信エリア内部の試験無線ＩＤタグからのデータがその無線ＩＤ送受信機又は受信機によって何も受信されなくなるまで調節する。第１のコントローラ及び第２のコントローラは、各無線ＩＤ送受信機又は受信機を、その無線ＩＤアンテナの信号受信エリア内部の試験無線ＩＤタグからのデータがその無線ＩＤ送受信機又は受信機によって受信され、その無線ＩＤタグに関して受信されたデータが事前に設定されたパフォーマンスパラメータに適合し、複数の無線ＩＤアンテナのうちの他の無線ＩＤアンテナの各々の信号受信エリア内部の試験無線ＩＤタグからのデータがその無線ＩＤ送受信機又は受信機によって何も受信されなくなるコンフィギュレーションパラメータを用いて較正する。
【００１０】
さらなる一実施例では、第１のコントローラ及び第２のコントローラは、各無線ＩＤ送信機又は受信機の較正に先立ち、試験無線ＩＤタグを用いてシステムベースライン正常性試験を実施する。また、各無線ＩＤ送受信機又は受信機について調節されたコンフィギュレーションパラメータは、システム信号送信機のパワー、システム信号送信機変調選択、システムパケット送信数、無線ＩＤタグパケット送信数、システム受信機感度閾値設定、無線ＩＤタグ受信信号強度指標値、受信無線ＩＤタグパケットフィルタ設定、無線ＩＤ送信期間率設定、グローバル低レベルリーダプロトコル制御パラメータ設定、及びアンテナポート選択のうちの一又は複数を含みうる。各無線ＩＤ送受信機又は受信機について調節されたコンフィギュレーションパラメータは、試験無線ＩＤタグパラメータ設定も含みうる。システムは、複数の無線ＩＤ送受信機又は受信機を互いに対して及び第２のコントローラに対して連結するためのネットワークも含みうる。システムは、使用中のすべての試験無線ＩＤタグの位置の追跡に使用するためのミドルウエア及びシステムベースライン正常性試験プロセス及び較正プロセス分析プログラムをさらに含みうる。さらに、システムは、使用中のすべての試験無線ＩＤタグの位置を記憶するための、ミドルウエア及びシステムベースライン正常性試験プロセス及び較正プロセス分析プログラムに連結されたデータベースを含みうる。
【００１１】
前述の特徴、機能、及び利点は、様々な実施例において個別に実現可能であるか、又はさらに別の実施例において組み合わされうる。下記の説明及び図面を参照することで、これらの特徴、機能、及び利点のさらなる詳細が理解されうる。
【図面の簡単な説明】
【００１２】
下記の詳細な説明は、例として示されており、本開示をこの説明のみに限定することを意図したものではなく、添付図面を併用することで最もよく理解されよう。
【００１３】
【図１】本発明による複数の無線ＩＤ位置決定システムの自動化構成のためのシステムの第１の実施例の線図である。
【図２】本発明による複数の無線ＩＤ位置決定システムの自動化構成のためのシステムの第２の実施例の線図である。
【図３】二つの隣接する無線ＩＤ位置決定システムの設置を示す概略平面図である。
【図４】本発明の一実施例による複数の無線ＩＤ位置決定システムの自動化構成のための方法のフロー図である。
【発明を実施するための形態】
【００１４】
本開示では、図面全体を通じて類似の参照番号が類似の要素を指しており、これらの図面は本開示の様々な実施例を示している。
【００１５】
無線ＩＤ位置決定システム送信機／受信機（送受信機）又は受信機は、一般に、無線ＩＤ位置タグ信号送信を受信するために使用される。無線ＩＤ送受信機又は受信機は、埋め込みアンテナを含むことができる。場合によっては、無線ＩＤシステムポータル又はゾーンは、その間に無線ＩＤタグ信号受信エリアを画定するゲートウェイが形成されるように物理的に位置する適合するアンテナの組からなっていてよい。この種類の構成は、外部から動力供給される無線ＩＤタグに広く使用されている。他の事例では、単一の無線ＩＤシステムアンテナが利用され、無線ＩＤタグ無線信号受信エリアは、使用のための選択された無線ＩＤアンテナの種類及び配向によって画定される。いずれの構成においても、隣接する位置決定システムのアンテナは、時々交差受信が生じるように設置されうる。サプライチェーン管理に使用されるＩＤ位置決定システムにおける交差受信は、識別が困難であることがあり、在庫管理の問題を招いた入り不要な再作業を生じたりすることがある。
【００１６】
ここで図１を参照すると、システムベースライン正常性試験と、送受信機又は受信機の性能に合わせて無線ＩＤタグを最適化するため及び無線ＩＤタグの交差受信を最小化又は排除するための個々の無線ＩＤ位置決定システムの較正とに使用されるシステム１００の第１の実施例が示されている。このような個々の無線ＩＤ位置決定システムは、受動的無線信号ポータル又は能動的無線信号ゾーン用のものでよい。システム１００は、少なくとも二つの同じ技術型の無線ＩＤ位置決定システム１０１、１０２を含む。図１には無線ＩＤ位置決定システム１０１、１０２が二つだけ示されているが、本明細書に開示されるシステム及び方法は、それよりも多くの別個の無線ＩＤ位置決定システムを有する実装態様に適用することができる。無線ＩＤ位置決定システム１０１は、受動的無線信号エリアのポータル又は能動的無線信号エリアのゾーンを形成する二つの無線ＩＤアンテナ１１０、１１２に連結された無線ＩＤ送受信機又は受信機１２０を含む。上述のように、場合によっては各無線ＩＤシステムにもっと多数の無線ＩＤアンテナが必要となるであろう。単一の無線ＩＤアンテナだけで十分な場合もあるであろう。無線ＩＤシステム１０１は、無線ＩＤタグ（例えば試験無線ＩＤタグ１６０、１６２、及び１６３）用の無線信号受信エリア１７０を有する。同様に、無線ＩＤシステム１０２は、二つの無線ＩＤアンテナ１１１、１１３に連結された無線ＩＤ送受信機又は受信機１２１を含む。無線ＩＤシステム１０２は、無線ＩＤタグ（例えば試験無線ＩＤタグ１６１、１６４、及び１６５）用の無線信号受信エリア１７１を有する。無線ＩＤ送受信機又は受信機１２０、１２１の各々は、ローカルエリアネットワーク１３０といった通信リンクを介してコントローラ１４０に連結される。図１にはローカルエリアネットワーク１３０が示されているが、無線ＩＤ送受信機又は受信機１２０、１２１をコントローラ１４０に連結するために他の種類の通信リンクが使用されてもよい。コントローラ１４０は、ミドルウエア及びシステムベースライン正常性試験及び較正プロセス分析プログラム１４１に関連付けられる。プログラム１４１は、好適には、性能分析アプリケーションと、無線ＩＤ位置決定システムの機器較正プロセスの間の試験無線ＩＤタグ信号の挙動を学習するパターン認識技術又はアルゴリズムを含む。コントローラ１４０はデータベース１５０にも連結される。
【００１７】
コントローラ１４０と、ミドルウエア及びシステムベースライン正常性試験及び較正プロセス分析プログラム１４１とは、無線ＩＤシステム１０１、１０２の各々の正常動作を制御し、通常のサプライチェーン管理の機能を管理し、データベース１５０内の無線ＩＤシステム１０１、１０２の各々から収集された情報を記憶する。コントローラ１４０（ミドルウエア及びシステムベースライン正常性試験及び較正プロセス分析プログラム１４１を含む）はまた、無線ＩＤ送受信機又は受信機１２０、１２１のシステムベースライン正常性試験及び較正プロセスの動作を制御する。加えて、構成モードでは、コントローラ１４０は、各無線ＩＤシステム１０１、１０２にとって最適なコンフィギュレーションパラメータを決定する較正プロセス分析プログラム１４１の指示によって要求されるように、無線ＩＤ送受信機又は受信機１２０、１２１のコンフィギュレーションパラメータを変更し、これにより、それぞれの無線ＩＤシステムに関連付けられた無線信号受信エリア内部の無線ＩＤタグの受信が可能になり、しかし他の無線ＩＤシステムの無線信号受信エリア内部の無線ＩＤタグがそれらそれぞれの無線信号受信エリア外から受信されることが防止される。例えば、無線ＩＤ送受信機又は受信機１２０、１２１の最終的なコンフィギュレーションパラメータが決定された後では、無線ＩＤ送受信機又は受信機１２０は、試験無線ＩＤタグ１６０、１６２、及び１６３を受信することはできるが試験無線ＩＤタグ１６１、１６４、又は１６５を受信することができず、無線ＩＤ送受信機又は受信機１２１も、試験無線ＩＤタグ１６１、１６４、及び１６５を受信することはできるが試験無線ＩＤタグ１６０、１６２、又は１６３を受信することができない。特に、システムベースライン正常性試験の間、コントローラ１４０は、無線ＩＤ送受信機又は受信機１２０のコンフィギュレーションパラメータを、関連付けられた無線信号受信エリア（例えば、無線信号受信エリア１７０）内部で付属の無線ＩＤアンテナ１１０、１１２の近傍に配置されているか又はそれらに取り付けられている試験無線ＩＤタグ１６２、１６３がその無線ＩＤ送受信機又は受信機（例えば、無線ＩＤ送受信機又は受信機１２０）によって読み取られるまで連続的に調節及びステップスルーする、較正プロセス分析プログラム１４１によって指示されるシステムベースライン正常性試験プロセスに従う。試験無線ＩＤタグ１６２及び１６３から受け取られるデータが事前に設定されたパフォーマンスパラメータに適合しない場合、システムベースライン正常性試験は終了する。試験無線ＩＤタグ１６２及び１６３から受け取られるデータが事前に設定されたパフォーマンスパラメータに適合する場合、ミドルウエア及びシステムベースライン正常性試験プロセス及び較正プロセス分析プログラム１４１は、無線ＩＤ送受信機又は受信機１２０の最終的なコンフィギュレーションパラメータを決定するための較正試験プロセスを開始する。特に、コントローラ１４０は、無線ＩＤ送受信機又は受信機１２０のコンフィギュレーションパラメータを、付属の無線ＩＤアンテナ（例えば、無線ＩＤアンテナ１１０及び１１２）の関連付けられた無線信号受信エリア（例えば、無線信号受信エリア１７０）内部に配置されたすべての試験無線ＩＤタグ１６０、１６２、１６３がその無線ＩＤ送受信機又は受信機（例えば、無線ＩＤ送受信機又は受信機１２０）によって読み取られ、他の無線ＩＤアンテナ（例えば、無線ＩＤアンテナ１１１、１１３）の各々の無線信号受信エリア（例えば、無線信号受信エリア１７１）内部の試験無線ＩＤタグ（例えば、試験無線ＩＤタグ１６１、１６４、１６５）がその無線ＩＤ送受信機又は受信機（例えば、無線ＩＤ送受信機又は受信機１２０）によって何も受信されなくなるまで、連続的に調節及びステップスルーする。試験無線ＩＤタグ１６０、１６２及び１６３から受け取られるデータが事前に設定されたパフォーマンスパラメータに適合しない場合、又は隣接する無線信号受信エリア１７１内部の試験無線ＩＤタグ１６１、１６４、又は１６５からデータが受け取られる場合、較正試験プロセスは終了する。試験無線ＩＤタグ１６０、１６２、及び１６３の各々から受け取られるデータが事前に設定されたパフォーマンスパラメータに適合し、無線信号受信エリア１７１から試験無線ＩＤタグ１６１、１６４、１６５が何も受け取られない場合、較正試験プロセスが完了し、コントローラ１４０は、動作構成の間に識別されたコンフィギュレーションパラメータを用いて各無線ＩＤ送受信機又は受信機１２０を構成するか、又は代わりに各送受信機又は受信機のコンフィギュレーションパラメータをデータベース１５０に送信する。このプロセスは、多くの場合多数の異なる種類の無線ＩＤシステムが単一の設備（例えば工場の異なる部品）に使用されているため特に効果的であり、別個の無線ＩＤシステムの各々を別々に且つ連続的に較正及び構成することにより、通常の動作の間に交差受信が生じないことを保証することができる。
【００１８】
各無線ＩＤシステム１０１、１０２、コントローラ１４０の構成の間に、ミドルウエア及びシステムベースライン正常性試験プロセス及び較正プロセス分析プログラム１４１は、限定しないが、各無線ＩＤ送受信機又は受信機１２０、１２１の以下のコンフィギュレーションパラメータのうちの一又は複数を、捕捉、分析又は調節することができる：システム送信機のパワー、システム信号送信機の変調選択、システムパケット送信数、無線ＩＤタグのパケット送信数、システム受信機の感度閾値設定、無線ＩＤタグの受信信号強度指標値、受信無線ＩＤタグパケットのフィルタ設定、無線ＩＤタグの送信期間率設定、無線ＩＤタグの配向、無線ＩＤ位置決定システムの受動的無線信号受信ポータルのアンテナ又は能動的無線信号受信エリアゾーンのアンテナ間の距離、及び隣接する受動的ポータル又は能動的ゾーンのアンテナまでの距離、ＧＳ１  ＥＰＣグローバル低レベルリーダプロトコル（ＬＬＲＰ）標準コンフィギュレーションパラメータ、無線ＩＤの機器製造者のカスタムコンフィギュレーションパラメータ、並びにアンテナポートの選択。コントローラ１４０、ミドルウエア及びシステムベースライン正常性試験プロセス及び較正プロセス分析プログラム１４１はまた、複数の無線ＩＤ送受信機又は受信機１２０、１２１の各々のコンフィギュレーションパラメータをデータベース１５０に記憶することができる。
【００１９】
ここで図２を参照する。図２には、無線ＩＤ送受信機又は受信機のコンフィギュレーションパラメータを較正し、隣接する無線ＩＤシステム内での交差受信を最小化又は排除するためのシステム２００の第２の実施例が示されている。システム２００においては、ローカルエリアネットワーク２３０によって連結された二つの無線ＩＤシステム１０１、２０２が提供されているが、図１の実施例と同様に、本発明の原理は、三つ以上の異なる無線ＩＤシステムを有するシステムに適用されうる。無線ＩＤシステム１０１は図１のものと同一である。しかしながら、システム２００において、無線ＩＤシステム２０２は、コントローラ２４０、ミドルウエア及びシステムベースライン正常性試験プロセス及び較正プロセス分析プログラム２４１、並びにデータベース２５０が組み込まれた無線ＩＤ送受信機又は受信機２２１を含んでいる。コントローラ２４０、ミドルウエア及びシステムベースライン正常性試験プロセス及び較正プロセス分析プログラム２４１、並びにデータベース２５０は、図１に示された実施例のコントローラ１４０、ミドルウエア及びシステムベースライン正常性試験プロセス及び較正プロセス分析プログラム１４１、並びにデータベース１５０と同じように動作し、それらと同じ機能を提供するが、無線ＩＤシステム２０２の一部として提供される。第３の実施例では、無線ＩＤ送受信機又は受信機のコンフィギュレーションパラメータを較正し、隣接する無線ＩＤシステム内での交差受信を最小化又は排除するためのシステムは、ローカルエリアネットワーク１３０（例えば図１のコントローラ１４０）に連結されたリモートコントローラと無線ＩＤ送受信機又は受信機のうちの一又は複数に組み込まれたローカルコントローラの両方を含むことができる。この第３の実施例では、図１の実施例のコントローラ１４０及び図２の実施例のコントローラ２４０の機能性は、二つのコントローラ間で共有される。
【００２０】
ここで図３を参照する。図３には、二つの隣接する受動的無線信号のポータルエリア又は能動的無線信号エリア３１０、３１１を含む工場のフロア３００が示されている。無線信号エリア３１０は無線ＩＤアンテナ３２０、３２１によって形成され、無線信号エリア３１１は無線ＩＤアンテナ３２２、３２３によって形成されている。試験無線ＩＤタグ３６０、３６１、３６２は無線信号エリア３１０内部に位置しており、試験無線ＩＤタグ３６３、３６４、３６５は無線信号エリア３１１内部に位置している。本発明のシステム及び方法によって提供される利点がない場合、状況によっては、試験無線ＩＤタグ３６０、３６１又は３６２が、無線信号エリア３１１内部の無線ＩＤタグ信号送信を受信するように構成された無線ＩＤ送受信機又は受信機によって意図せず受信されてしまうことがあり、また、試験無線ＩＤタグ３６３、３６４、又は３６５が、無線信号エリア３１０内部の無線ＩＤタグ信号送信を受信するように構成された無線ＩＤ送受信機又は受信機によって意図せず受信されてしまうことがある。しかし、本発明のシステム及び方法によって提供される利点を適用することにより、試験無線ＩＤタグ３６０、３６１、３６２が無線信号エリア３１０内のタグを受信するように構成された無線ＩＤ送受信機又は受信機によってのみ受信され、試験無線ＩＤタグ３６３、３６４、３６５が無線信号エリア３１１内のタグを受信するように構成された無線ＩＤ送受信機又は受信機によってのみ受信されることを保証することができる。
【００２１】
次に図４を参照する。図４には、複数の無線ＩＤ送受信機又は受信機１２０、１２１、２２１を較正して、それら複数の無線識別（ＩＤ）送受信機又は受信機の各々に付属する無線ＩＤアンテナ１１０、１１１、１１２、１１３に隣接するエリア内の試験無線ＩＤタグ１６０、１６１、１６２、１６３、１６４、１６５の交差受信を防止するための方法４００が示されている。まず、ステップ４１０において、試験無線ＩＤタグ１６２、１６３、１６４、１６５が、無線信号受信エリア１７０、１７１内部の各無線ＩＤアンテナ１１０、１１１、１１２、１１３の可能な限り近くに配置されるか、又はそれらアンテナ上に取り付けられ、次いで各無線タグ識別子情報がコントローラデータベースに入力される。ステップ４２０では、システムベースライン正常性試験が各試験無線ＩＤタグ１６２、１６３、１６４、１６５について実施される。このようにして、無線ＩＤ送受信機又は受信機コンフィギュレーションパラメータが連続的に調節及びステップスルーされ、各試験無線ＩＤタグからの受信データが各ステップの間に受け取られる。ステップ４３０では、試験無線ＩＤタグ１６２、１６３、１６４、１６５から受け取られたデータが事前に設定されたパフォーマンスパラメータに適合しない場合、システムベースライン正常性試験が終了する。試験無線ＩＤタグ１６２、１６３、１６４、１６５から受け取られたデータが事前に設定されたパフォーマンスパラメータに適合する場合、処理は較正プロセス分析プログラム１４１によって進行し、較正試験プロセスが開始される。ステップ４４０では、試験無線ＩＤタグ１６０、１６１が、無線ＩＤアンテナ１１０、１１１、１１２、１１３の各々に関連付けられた読み取りエリア内部に配置される。特に、試験無線ＩＤタグ１６０、１６１は、各ＩＤ位置決定機器タグ信号受信エリア内部において、特定のアセット上に又は同アセットから離れて、アンテナに対して選択された距離、高さ及び試験無線ＩＤタグの物理的偏波に配置され、各試験無線ＩＤタグ識別子情報が、システム較正試験のためにコントローラデータベースに入力される。次に、ステップ４５０において、無線ＩＤ送受信機又は受信機のコンフィギュレーションパラメータが、連続的に調節及びステップスルーされ、受信データが各試験無線ＩＤタグから受け取られる。特に、コンフィギュレーションパラメータは、各無線ＩＤ送受信機又は受信機１２０、１２１、２２１のためのステップにおいて、付属の無線ＩＤアンテナ（例えば、無線ＩＤアンテナ１１０、１１１、１１２、１１３）の関連付けられた無線信号受信エリア（例えば、無線信号受信エリア１７０、１７１）内部に位置するすべての試験無線ＩＤタグ（例えば、試験無線ＩＤタグ１６０、１６１、１６２、１６３、１６４、１６５）がその無線ＩＤ送受信機又は受信機（例えば、無線ＩＤ送受信機又は受信機１２０、１２１、２２１）によって読み取られるまで、連続的に調節され、入力され、試験される。好適には、各無線ＩＤ送受信機又は受信機について調節されたコンフィギュレーションパラメータは、システム送信機のパワー、システム信号送信機の変調選択、システムパケット送信数、無線ＩＤタグのパケット送信数、システム受信機の感度閾値設定、無線ＩＤタグの受信信号強度指標値、受信無線ＩＤタグパケットのフィルタ設定、無線ＩＤタグの送信期間率設定、無線ＩＤタグの配向、無線ＩＤ位置決定システムの受動的無線信号受信ポータルのアンテナ又は能動的無線信号受信エリアゾーンのアンテナ間の距離、及び隣接する受動的ポータル又は能動的ゾーンのアンテナまでの距離、ＧＳ１  ＥＰＣグローバル低レベルリーダプロトコル（ＬＬＲＰ）標準コンフィギュレーションパラメータ、無線ＩＤの機器製造者のカスタムコンフィギュレーションパラメータ、並びにアンテナポートの選択のうちの一又は複数を含みうる。ステップ４６０では、試験無線ＩＤタグから受け取られるデータが事前に設定されたパフォーマンスパラメータに適合しないか、又は試験無線ＩＤタグデータが隣接する無線信号受信エリア内の無線ＩＤ試験タグから受け取られる場合、較正試験プロセスが終了する。各無線ＩＤ試験タグから受け取られるデータが事前に設定されたパフォーマンスパラメータに適合し、隣接する無線信号受信エリア由来の試験無線ＩＤタグからのデータが何も受信されない場合、較正試験プロセスは完了し、処理が進行する。最後に、ステップ４７０において、コントローラ１４０は、動作較正の間に識別されたコンフィギュレーションパラメータを用いて各無線ＩＤ送受信機又は受信機１２０、１２１を構成すること、及び／又は各送受信機又は受信機のコンフィギュレーションパラメータをデータベース１５０（又は２５０）へと送信することにより、そのようなコンフィギュレーションパラメータを保存する。この後、処理は終了する。
【００２２】
さらに、本開示は以下の条項による実施例を含む。
条項１．    システムベースライン正常性試験を行い、複数の無線識別（無線ＩＤ）送受信機又は受信機を較正して、それら複数の無線ＩＤ送受信機又は受信機の各々に付属する無線ＩＤアンテナに隣接するエリアにおける無線ＩＤタグの交差受信を防止するための方法であって、無線ＩＤアンテナの各々に関連付けられた無線信号受信エリア内部に試験無線ＩＤタグを配置するステップ；各無線ＩＤ送受信機又は受信機のコンフィギュレーションパラメータを、その無線ＩＤ送受信機又は受信機に付属する無線ＩＤアンテナの無線信号受信エリア内部の試験無線ＩＤタグからのデータのみがその無線ＩＤ送受信機又は受信機によって受信され、その試験無線ＩＤタグに関して受信されたデータが事前に設定されたパフォーマンスパラメータに適合するまで調節するステップ；並びに、各無線ＩＤ送受信機又は受信機を、その無線ＩＤ送受信機又は受信機に付属する無線ＩＤアンテナの無線信号受信エリア内部の試験無線ＩＤタグからのデータのみがその無線ＩＤ送受信機又は受信機によって受信され、その試験無線ＩＤタグに関して受信されたデータが事前に設定されたパフォーマンスパラメータに適合するようになるコンフィギュレーションパラメータを用いて較正するステップを含む方法。
条項２．    各無線ＩＤ送受信機又は受信機を較正するステップに先立ち、試験無線ＩＤタグを用いてシステムベースライン正常性試験を実施するステップをさらに含む、条項１の方法。
条項３．    各無線ＩＤ送受信機又は受信機について調節されたコンフィギュレーションパラメータが、システム信号送信機のパワー、システム信号送信機変調選択、システムパケット送信数、無線ＩＤタグパケット送信数、システム受信機感度閾値設定、無線ＩＤタグ受信信号強度指標値、受信無線ＩＤタグパケットフィルタ設定、無線ＩＤ送信期間率設定、グローバル低レベルリーダプロトコル制御パラメータ設定、及びアンテナポート選択のうちの一又は複数を含む、条項１の方法。
条項４．    各無線ＩＤ送受信機又は受信機について調節されたコンフィギュレーションパラメータが、試験無線ＩＤタグパラメータ設定を含む、条項１の方法。
条項５．    複数の無線ＩＤ送受信機又は受信機の各々のコンフィギュレーションパラメータを中央データベースに記憶するステップをさらに含む、条項１の方法。
条項６．    複数の無線ＩＤ送受信機又は受信機を較正してそれら複数の無線ＩＤ送受信機又は受信機に付属の無線ＩＤアンテナに隣接したエリア内での無線ＩＤタグの交差受信を防止するためのシステムであって、各々が付属の無線ＩＤアンテナを有する複数の無線ＩＤ送受信機又は受信機であって、無線ＩＤアンテナがそれに関連付けられる無線信号受信エリア内部を通過する無線ＩＤタグからのデータを受信する、複数の無線ＩＤ送受信機又は受信機と、複数の無線ＩＤ送受信機又は受信機の各々に、その動作を制御するために連結されたコントローラとを備え、コントローラは、各無線ＩＤ送受信機又は受信機のコンフィギュレーションパラメータを、付属の無線ＩＤアンテナに関連付けられた無線信号受信エリア内部の試験無線ＩＤタグからのデータがその無線ＩＤ送受信機又は受信機によって受信され、その無線ＩＤタグに関して受信されたデータが事前に設定されたパフォーマンスパラメータに適合し、複数の無線ＩＤアンテナのうちの他の無線ＩＤアンテナの各々の無線信号受信エリア内部の試験無線ＩＤタグからのデータがそのＲＦＩＤ送受信機又は受信機によって何も受信されなくなるまで調節し、且つ、各無線ＩＤ送受信機又は受信機を、その無線ＩＤアンテナの無線信号受信エリア内部の試験無線ＩＤタグからのデータがその無線ＩＤ送受信機又は受信機によって受信され、その無線ＩＤタグに関して受信されたデータが事前に設定されたパフォーマンスパラメータに適合し、前記複数の無線ＩＤアンテナのうちの他の無線ＩＤアンテナの各々の無線信号受信エリア内部の試験無線ＩＤタグからのデータがその無線ＩＤ送受信機又は受信機によって何も受信されなくなるコンフィギュレーションパラメータを用いて較正する、システム。
条項７．    コントローラが、各無線送受信機又は受信機の較正に先立ち、試験無線ＩＤタグを用いてシステムベースライン正常性試験を実施する、条項６のシステム。
条項８．    各無線ＩＤ送受信機又は受信機について調節されたコンフィギュレーションパラメータが、システム信号送信機のパワー、システム信号送信機変調選択、システムパケット送信数、無線ＩＤタグパケット送信数、システム受信機感度閾値設定、無線ＩＤタグ受信信号強度指標値、受信無線ＩＤタグパケットフィルタ設定、無線ＩＤ送信期間率設定、グローバル低レベルリーダプロトコル制御パラメータ設定、及びアンテナポート選択のうちの一又は複数を含む、条項６のシステム。
条項９．    各無線ＩＤ送受信機又は受信機について調節されたコンフィギュレーションパラメータが、試験無線ＩＤタグパラメータ設定を含む、条項６のシステム。
条項１０．    コントローラを複数の無線ＩＤ送受信機又は受信機の各々に連結するためのネットワークをさらに備える、条項６のシステム。
条項１１．    使用中のすべての無線ＩＤタグの位置の追跡に使用するためのミドルウエア及びシステムベースライン正常性試験及び較正プロセス分析プログラムをさらに備える、条項６のシステム。
条項１２．    使用中のすべての無線ＩＤタグの位置情報を記憶するための、ミドルウエア及びシステムベースライン正常性試験及び較正プロセス分析プログラムに連結されたデータベースをさらに備える、条項１１のシステム。
条項１３．    ミドルウエア及びシステムベースライン正常性試験及び較正プロセス分析プログラムを複数の無線ＩＤ送受信機又は受信機の各々に連結するためのネットワークをさらに備える、条項１１のシステム。
条項１４．    複数の無線ＩＤ送受信機又は受信機を較正してそれら複数の無線ＩＤ送受信機又は受信機に付属の無線ＩＤアンテナに隣接したエリア内での無線ＩＤタグの交差受信を防止するためのシステムであって、各々が付属の無線ＩＤアンテナを有する複数の無線ＩＤ送受信機又は受信機であって、無線ＩＤアンテナがそれに関連付けられる信号受信エリア内部を通過する無線ＩＤタグを受信する、複数の無線ＩＤ送受信機又は受信機と、複数の無線ＩＤ送受信機又は受信機のうちの一つの内部にあって、複数の無線ＩＤ送受信機又は受信機のうちの他の無線ＩＤ送受信機又は受信機の各々に、その動作を制御するために連結されたコントローラとを備え、コントローラは、各無線ＩＤ送受信機又は受信機のコンフィギュレーションパラメータを、付属の無線ＩＤアンテナに関連付けられた信号受信エリア内部の試験無線ＩＤタグからのデータがその無線ＩＤ送受信機又は受信機によって受信され、その無線ＩＤタグに関して受信されたデータが事前に設定されたパフォーマンスパラメータに適合し、複数の無線ＩＤアンテナのうちの他の無線ＩＤアンテナの各々の信号受信エリア内部の試験無線ＩＤタグからのデータがその無線ＩＤ送受信機又は受信機によって何も受信されなくなるまで調節し、且つ、各無線ＩＤ送受信機又は受信機を、その無線ＩＤアンテナの信号受信エリア内部の試験無線ＩＤタグからのデータがその無線ＩＤ送受信機又は受信機によって受信され、その無線ＩＤタグに関して受信されたデータが事前に設定されたパフォーマンスパラメータに適合し、前記複数の無線ＩＤアンテナのうちの他の無線ＩＤアンテナの各々の信号受信エリア内部の試験無線ＩＤタグからのデータがその無線ＩＤ送受信機又は受信機によって何も受信されなくなるコンフィギュレーションパラメータを用いて較正及び構成する、システム。
条項１５．    コントローラが、各無線ＩＤ送信機又は受信機の較正に先立ち、試験無線ＩＤタグを用いてシステムベースライン正常性試験を実施する、条項１４のシステム。
条項１６．    各無線ＩＤ送受信機又は受信機について調節されたコンフィギュレーションパラメータが、システム信号送信機のパワー、システム信号送信機変調選択、システムパケット送信数、無線ＩＤタグパケット送信数、システム受信機感度閾値設定、無線ＩＤタグ受信信号強度指標値、受信無線ＩＤタグパケットフィルタ設定、無線ＩＤ送信期間率設定、グローバル低レベルリーダプロトコル制御パラメータ設定、及びアンテナポート選択のうちの一又は複数を含む、条項１４のシステム。
条項１７．    各無線ＩＤ送受信機又は受信機について調節されたコンフィギュレーションパラメータが、試験無線ＩＤタグパラメータ設定を含む、条項１４のシステム。
条項１８．    複数の無線ＩＤ送受信機又は受信機を互いに対して連結するためのネットワークをさらに備える、条項１４のシステム。
条項１９．    使用中のすべての無線ＩＤタグの位置の追跡に使用するためのミドルウエア及びシステムベースライン正常性試験プロセス及び較正プロセス分析プログラムをさらに備える、条項１４のシステム。
条項２０．    使用中のすべての無線ＩＤタグの位置を記憶するための、ミドルウエア及びシステムベースライン正常性試験プロセス及び較正プロセス分析プログラムに連結されたデータベースをさらに備える、条項１９のシステム。
条項２１．    複数の無線ＩＤ送受信機又は受信機を較正してそれら複数の無線ＩＤ送受信機又は受信機の各々に付属する無線ＩＤアンテナに隣接したエリア内での無線ＩＤタグの交差受信を防止するためのシステムであって、各々が付属の無線ＩＤアンテナを有する複数の無線ＩＤ送受信機又は受信機であって、無線ＩＤアンテナがそれに関連付けられる信号受信エリア内部を通過する無線ＩＤタグを受信する、複数の無線ＩＤ送受信機又は受信機、並びに複数の無線ＩＤ送受信機又は受信機のうちの一つの内部にある第１のコントローラと、第２のコントローラとを備え、第１のコントローラ及び第２のコントローラは、互いに連結され、且つ、複数の無線ＩＤ送受信機又は受信機の他の各々にその動作を制御するために連結されており、第１のコントローラ及び第２のコントローラは、各無線ＩＤ送受信機又は受信機のコンフィギュレーションパラメータを、付属の無線ＩＤアンテナに関連付けられた信号受信エリア内部の試験無線ＩＤタグからのデータがその無線ＩＤ送受信機又は受信機によって受信され、その無線ＩＤタグに関して受信されたデータが事前に設定されたパフォーマンスパラメータに適合し、複数の無線ＩＤアンテナのうちの他の無線ＩＤアンテナの各々の信号受信エリア内部の試験無線ＩＤタグからのデータがその無線ＩＤ送受信機又は受信機によって何も受信されなくなるまで調節し、且つ、各無線ＩＤ送受信機又は受信機を、その無線ＩＤアンテナの信号受信エリア内部の試験無線ＩＤタグからのデータがその無線ＩＤ送受信機又は受信機によって受信され、その無線ＩＤタグに関して受信されたデータが事前に設定されたパフォーマンスパラメータに適合し、複数の無線ＩＤアンテナのうちの他の無線ＩＤアンテナの各々の信号受信エリア内部の試験無線ＩＤタグからのデータがその無線ＩＤ送受信機又は受信機によって何も受信されなくなるコンフィギュレーションパラメータを用いて較正する、システム。
条項２２．    第１のコントローラ及び第２のコントローラが、各無線ＩＤ送信機又は受信機の較正に先立ち、試験無線ＩＤタグを用いてシステムベースライン正常性試験を実施する、条項２１のシステム。
条項２３．    各無線ＩＤ送受信機又は受信機について調節されたコンフィギュレーションパラメータが、システム信号送信機のパワー、システム信号送信機変調選択、システムパケット送信数、無線ＩＤタグパケット送信数、システム受信機感度閾値設定、無線ＩＤタグ受信信号強度指標値、受信無線ＩＤタグパケットフィルタ設定、無線ＩＤ送信期間率設定、グローバル低レベルリーダプロトコル制御パラメータ設定、及びアンテナポート選択のうちの一又は複数を含む、条項２１のシステム。
条項２４．    各無線ＩＤ送受信機又は受信機について調節されたコンフィギュレーションパラメータが、試験無線ＩＤタグパラメータ設定を含む、条項２１のシステム。
条項２５．    複数の無線ＩＤ送受信機又は受信機を互いに対して及び第２のコントローラに対して連結するためのネットワークをさらに備える、条項２１のシステム。
条項２６．    使用中のすべての試験無線ＩＤタグの位置の追跡に使用されるミドルウエア及びシステムベースライン正常性試験プロセス及び較正プロセス分析プログラムをさらに備える、条項２１のシステム。
条項２７．    使用中のすべての試験無線ＩＤタグの位置を記憶するための、ミドルウエア及びシステムベースライン正常性試験プロセス及びの較正プロセス分析プログラムに連結されたデータベースをさらに備える、条項２６のシステム。
【００２３】
本発明のシステム及び方法は、企業全体の無線ＩＤインフラ設備の共通のコンフィギュレーションパラメータの試験、分析、構成及び確立を自動化するための解決法を提供する。多くの会社が、生産及び製造アセットの追跡をサポートするために、現在無線ＩＤインフラ設備を企業全体に実装している。本発明のシステム及び方法の使用は、コンフィギュレーションパラメータを較正し、無線ＩＤタグの交差受信を最小化又は排除し、さらには、無線ＩＤインフラ設備のコンフィギュレーションパラメータの設定に含まれる当て推量を低減又は排除し、それにより、アセット追跡精度を改善し、無線ＩＤポータル又はゾーンの位置精度を試験及び較正することにより、コスト高で不要な機器コンフィギュレーションパラメータ調節のやり直しを防止するであろう。
【００２４】
本開示は、好ましい実施例及びそれらの様々な態様を参照して具体的に示され記載されているが、当業者であれば、本発明の精神及び範囲を逸脱することなく様々な変更や修正が可能であることを理解するであろう。特許請求の範囲は、本明細書に記載の実施例、上述の代替例、及びそれらのすべての等価物を含むものと解釈されるべきである。
【図１】
2019079507.tif 000003
【図２】
2019079507.tif 000004
【図３】
2019079507.tif 000005
【図４】
2019079507.tif 000006
【外国語明細書】
2019079507000001.pdf
2019079507000002.pdf
2019079507000003.pdf
2019079507000004.pdf